【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
セルラ装置を地理的に位置決めする方法において、
セルラ網の第１セルと第２セルの各々の有効セル区域を決定する段階と、
セルラ装置の制御が第１セルから第２セルへ転送されたときにセルラ装置が位置するであろうハンドオーバー区域を決定する段階と、を含み、
前記第１セルと第２セルの各々の前記ハンドオーバー区域と前記有効セル区域の決定は前記第１セルと第２セルとの間の位相的関係を基にしている、
セルラ装置を地理的に位置決めする方法。
【請求項２】
請求項１記載の方法において、
前記第１セルと第２セルの間の受信等強度線の周りの半影区域を決定する段階と、
を含む方法。
【請求項３】
請求項１記載の方法において、セルラ網は前記第１セルの第１アンテナと前記第２セルの第２アンテナとを含み、位相関係は：
前記第１アンテナと第２アンテナが共通の位置に配置されている第１位相ケースと、
前記第１アンテナと第２アンテナが異なる位置に配置され、前記第１セルと第２セルが互いに向き合って位置している第２位相ケースと、
前記第１アンテナと第２アンテナが異なる位置に配置され、前記第１セルと第２セルが重なり合わない第３位相ケースと、
前記第１、第２及び第３位相ケースのどれも満たされない第４位相ケースと、
から決定される方法。
【請求項４】
請求項３記載の方法において、位相関係が前記第１、第２、または第３位相ケースの内のどれかに決定された時に、前記第１セルと第２セルとの間の前記受信等強度線の周りの半影区域を決定する段階をさらに含む、方法。
【請求項５】
請求項２または４記載の方法において、
前記第１セルの有効セル区域を前記半影区域と交差させることにより第１セルの可能なハンドオーバー区域を決定する段階と、
前記第２セルの有効セル区域を前記半影区域と交差させることにより第２セルの可能なハンドオーバー区域を決定する段階と、
前記第１セルの可能なハンドオーバー区域と前記第２セルの可能なハンドオーバー区域の結合を形成することによりセルラ装置の制御の転送のハンドオーバー区域を決定する段階と、
をさらに含む方法。
【請求項６】
請求項１記載の方法において、
前記第１セルの有効セル区域を前記第２セルの有効セル区域と交差させることによりセルラ装置の制御の転送の前記ハンドオーバー区域を決定する段階と、
をさらに含む方法。
【請求項７】
請求項３記載の方法において、位相関係が前記第４位相ケースであるものと決定された時に、前記第１セルの有効セル区域を前記第２セルの有効セル区域と交差させることによりセルラ装置の制御の転送の前記ハンドオーバー区域を決定する段階を、さらに含む方法。
【請求項８】
請求項１記載の方法において、前記有効セル区域を決定する段階はセル識別子データを使用することを含む、方法。
【請求項９】
請求項１記載の方法において、前記有効セル区域を決定する段階は時間進行データを使用することを含む、方法。
【請求項１０】
請求項１記載の方法において、前記有効セル区域を決定する段階は前記第１セルと第２セルの有効半径を決定する段階を含む、方法。
【請求項１１】
請求項１０記載の方法において、前記第１セルの第１アンテナと第２セルの第２アンテナが共通位置に配置されている時、有効半径をセクタ形状のセルの半径として決定する、方法。
【請求項１２】
請求項１０記載の方法において、前記第１セルの第１アンテナと第２セルの第２アンテナが前記共通位置に位置していない時、有効半径を第１アンテナと第２アンテナ間の距離と第１セルと第２セルの間の位相関係を基にした定数要素との積により決定する、方法。
【請求項１３】
請求項１０記載の方法において、前記有効セル区域を決定する段階は、セクタ形状のセルの縁を拡張する段階をさらに含む方法。
【請求項１４】
請求項１３記載の方法において、前記セクタ形状のセルの縁を拡張する段階は、前記第１セルの第１アンテナが前記第２セル内に含まれる時、かつ前記第１アンテナと第２セルの第２アンテナとの間の線と第２セルのセクタ限界線とにより形成される角度βが所定の角度αより小さい時に、
前記セクタ限界線を越えて第２セルを拡張する段階と、
を含む方法。
【請求項１５】
請求項１４記載の方法において、前記第２セルは前記セクタ限界線を超えた矩形拡張部により拡張される、方法。
【請求項１６】
請求項１３記載の方法において、セクタ形状のセルの縁を拡張する段階は、前記第１セルの第１アンテナは前記第２セルの外側にある時、かつ第２セルのセクタ限界線と第１アンテナと第２セルの第２アンテナとの間の線とにより形成される内部角が１８０度より大きい時に、
セクタ限界線を越えて第２セルを拡張する段階と、
を含む方法。
【請求項１７】
請求項１６記載の方法において、前記第２セルはセクタ限界線を超えた矩形拡張部により拡張される、方法。
【請求項１８】
請求項１６記載の方法において、前記第２セルは２つのセクタ限界線を超えた矩形拡張部により拡張された、方法。
【請求項１９】
請求項１８記載の方法において、前記第２セルは２つの矩形拡張部により拡張され、２つの矩形拡張部を接続する３角形拡張部により第２セルを拡張する段階をさらに含む、方法。
【請求項２０】
請求項２または４記載の方法において、前記半影区域を決定する段階は、
等強度の線の位置を決定する段階と、
前記等強度の線の周りの矩形ストリップを決定する段階と、
を含む、方法。
【請求項２１】
請求項２０記載の方法において、前記等強度の線の位置を決定する段階は、前記第１セルの第１アンテナと前記第２セルの第２アンテナが共通位置に配置されている時、第１セルの第１方位角と第２セルの第２方位角により形成される角度の半分として等強度の線を決定する段階を含む、方法。
【請求項２２】
請求項２０記載の方法において、等強度の線を決定する前記段階は、前記第１セルの第１アンテナと前記第２セルの第２アンテナとを接続する線に垂直な中央線を形成する段階を含む、方法。
【請求項２３】
請求項２０記載の方法において、前記矩形ストリップは前記等強度の線の周りに非対称幅である、方法。
【請求項２４】
請求項２３記載の方法において、前記等強度の線とセルラ装置が入っていこうとしているセルに近接する第１ストリップ限界との間の第１矩形ストリップの幅Ｗ１は、等強度の線とセルラ装置が出ていこうとしているセルに近接する第２ストリップ限界との間の第２矩形ストリップの幅Ｗ２より長い、方法。
【請求項２５】
請求項１記載の方法において、
少なくとも部分的にハンドオーバー区域を基に車両交通データを発生する段階と、
をさらに含む、方法。
【請求項２６】
請求項２５記載の方法において、
セルラ網から受信したデータをサンプリングしてハンドオーバー区域を決定する段階と、
をさらに含む、方法。
【請求項２７】
請求項２６記載の方法において、
複数個の異なる移動センサ源からの車両位置データをサンプリングして車両交通データを発生する段階と、
をさらに含む、方法。
【請求項２８】
請求項２５記載の方法において、
第１セルと第２セルの所定のハンドオーバー区域をデータベースに記憶する段階と、
第１セルと第２セルとの間のハンドオーバーに関するセルラ網からのデータを受信した時にデータベースに問い合わせてハンドオーバー区域を決定する段階と、
をさらに含む、方法。
【請求項２９】
請求項２５記載の方法において、
セルラ網から受信したストリーミング・データに応答するオンライン・サンプラを使用してハンドオーバー区域を決定する段階と、
をさらに含む、方法。
【請求項３０】
請求項１記載の方法において、第１及び第２セルは、周波数分割多重アクセス（ＦＤＭＡ）、時間分割多重アクセス（ＴＤＭＡ）、極性分割多重アクセス（ＰＤＭＡ）、及びコード分割多重アクセス（ＣＤＭＡ）の１つ以上のセルラ網動作原理の一部を含む、方法。
【請求項３１】
請求項１記載の方法において、第３セルの考慮をさらに含み、前記第１、第２及び第３セルはＣＤＭＡまたはＷＣＤＭＡセルラ網の一部を含む、方法。
【請求項３２】
請求項３１記載の方法において、第４セルの考慮をさらに含み、前記第１、第２、第３及び第４セルはＣＤＭＡまたはＷＣＤＭＡセルラ網の一部を含む、方法。
【請求項３３】
第１セルの第１アンテナと第２セルの第２アンテナを含むセルラ網でセルラ装置を地理的に位置決めする方法において、
第１セルと第２セルとの間のｉ個の異なる位相関係の組の各々に対して有効半径Ｒｉを決定する段階と、
第１アンテナが第２セル内に含まれる時、かつ第１アンテナと第２アンテナとの間の線と第２セルのセクタ限界線とにより形成される角度βが角度αより小さい時に、第２セルがセクタ限界線を越えて拡張される角度αを決定する段階と、
角度βが角度αより小さい時に第２セルのセクタ限界線に追加される第１矩形拡張部の第１拡張幅Ｅ１を決定する段階と、
第１アンテナが第２セルの外側にある時、かつ第２セルのセクタ限界線と第１アンテナと第２アンテナとの間の線との間で形成される内角が１８０度以上である時、第２セルのセクタ限界線に追加される第２矩形拡張部の第２拡張幅Ｅ２を決定する段階と、
第１アンテナと第２アンテナとからの信号受信の等強度の線と、セルラ装置が入っていこうとしているセルに隣接する第１ストリップ限界との間の第１矩形ストリップの第１半影幅Ｗ１を決定する段階と、
等強度の線とセルラ装置が出て行こうとしているセルに隣接する第２ストリップ限界との間の第２矩形ストリップの第２半影幅Ｗ２とを決定する段階と、
セルラ装置の制御が第１セルから第２セルへ転送された時にセルラ装置が位置するであろうハンドオーバー区域を決定する段階であって、ハンドオーバー区域の決定は、少なくとも有効半径Ｒｉ、角度α、第１拡張幅Ｅ１、第２拡張幅Ｅ２、第１半影幅Ｗ１、第２半影幅Ｗ２のサブセットを基にして決定する前記段階と、
を含む方法。
【請求項３４】
セルラ装置を地理的に位置決めする装置において、
セルラ網の第１セルと第２セルの各々の有効セル区域を決定する有効セル区域モジュールと、
セルラ装置の制御が第１セルから第２セルへ転送された時にセルラ装置が位置しているであろうハンドオーバー区域を決定するハンドオーバー区域モジュールと、を含み、
ハンドオーバー区域と第１セルと第２セルの各々の有効セル区域の決定は第１セルと第２セルとの間の位相関係を基に行われる、装置。
【請求項３５】
請求項３４記載の装置において、
第１セルと第２セルとの間の受信の等強度の線の周りの半影区域を決定する半影区域モジュールと、
をさらに含む、装置。
【請求項３６】
請求項３４記載の装置において、セルラ網は第１セルの第１アンテナと第２セルの第２アンテナとを含み、位相関係は以下の位相ケースの中から決定され、位相ケースは、
第１アンテナと第２アンテナが共通位置に配置されている第１位相ケースと、
第１アンテナと第２アンテナが異なる位置に配置されていて、第１セルと第２セルが互いに対向して向いている第２位相ケースと、
第１アンテナと第２アンテナが異なる位置に配置されていて、第１セルと第２セルが重なり合わない第３位相ケースと、
第１、第２、及び第３位相ケースのどれも満たされない第４位相ケースと、
を含む装置。
【請求項３７】
請求項３６記載の装置において、半影区域モジュールは、位相関係が第１、第２、または第３の位相ケースのどれかに決定された時に、第１セルと第２セルとの間の等強度受信線のまわりの半影区域を決定する装置を含む、装置。
【請求項３８】
請求項３５または３７記載の装置において、ハンドオーバー区域モジュールは、
第１セルの有効セル区域を半影区域と交差させることにより第１セル可能ハンドオーバー区域を決定し、
第２セルの有効セル区域を半影区域と交差させることにより第２セル可能ハンドオーバー区域を決定し、
第１セル可能ハンドオーバー区域と第２セル可能ハンドオーバー区域との結合を形成することによりセルラ装置の制御の転送用のハンドオーバー区域を決定する装置を含む、装置。
【請求項３９】
請求項３４記載の装置において、ハンドオーバー区域モジュールは、第１セルの有効セル区域を第２セルの有効セル区域と交差させることによりセルラ装置の制御の転送用のハンドオーバー区域を決定する装置を含む、装置。
【請求項４０】
請求項３６記載の装置において、ハンドオーバー区域モジュールは、位相関係が第４位相関係であるものと決定された時に、第１セルの有効セル区域を第２セルの有効セル区域と交差させることによりセルラ装置の制御の転送用のハンドオーバー区域を決定する装置を含む、装置。
【請求項４１】
請求項３４記載の装置において、有効セル区域モジュールはセル識別子データを使用する装置を含む、装置。
【請求項４２】
請求項３４記載の装置において、有効セル区域モジュールは時間進行データを使用する装置を含む、装置。
【請求項４３】
請求項３４記載の装置において、有効セル区域モジュールは第１セル及び第２セルの有効半径を決定する装置を含む、装置。
【請求項４４】
請求項４３記載の装置において、有効セル区域モジュールは、第１セルの第１アンテナと第２セルの第２アンテナが共通位置に配置されている時に、セクタ形状のセルの半径として有効半径を決定する装置を含む、装置。
【請求項４５】
請求項４３記載の装置において、有効セル区域モジュールは、第１セルの第１アンテナと第２セルの第２アンテナが共通位置に配置されていない時に、第１アンテナと第２アンテナとの間の距離と第１セルと第２セルとの間の位相関係を基にした定数要素との積として有効半径を決定する装置を含む、装置。
【請求項４６】
請求項４３記載の装置において、有効セル区域モジュールはセクタ形状のセルの縁の拡張部を決定する装置を含む、装置。
【請求項４７】
請求項４６記載の装置において、有効セル区域モジュールは、
第１セルの第１アンテナが第２セルに含まれているかどうか、第１アンテナと第２セルの第２アンテナ間の線と第２セルのセクタ限界線とにより形成される角度βが所定の角度αより小さいかどうかを決定し、その場合に、
セクタ限界線を越えて第２セルを拡張することにより、
セクタ形状のセルの縁の拡張部を決定する装置を含む、装置。
【請求項４８】
請求項４７記載の装置において、有効セル区域モジュールはセクタ限界線を越えて矩形拡張部により第２セルを拡張する装置を含む、装置。
【請求項４９】
請求項４６記載の装置において、有効セル区域モジュールは、
第１セルの第１アンテナが第２セルの外側にあるかどうか、第２セルのセクタ限界線と第１アンテナと第２セルの第２アンテナ間の線とにより形成される内部角度が１８０度より大きいかどうかを決定し、その場合に、
セクタ限界線を越えて第２セルを拡張することにより、
セクタ形状のセルの縁の拡張部を決定する装置を含む、装置。
【請求項５０】
請求項４９記載の装置において、有効セル区域モジュールはセクタ限界線を越えて矩形拡張部により第２セルを拡張する装置を含む、装置。
【請求項５１】
請求項４９記載の装置において、有効セル区域モジュールは、２つのセクタ限界線を越えて矩形拡張部により第２セルを拡張する装置を含む、装置。
【請求項５２】
請求項５１記載の装置において、有効セル区域モジュールは、２つの矩形拡張部を接続する３角形拡張部により第２セルを拡張する装置を含む、装置。
【請求項５３】
請求項３５または３７記載の装置において、半影区域モジュールは、
等強度の線の位置を決定し、
等強度の線の周りの矩形ストリップを決定する、
装置を含む、装置。
【請求項５４】
請求項５３記載の装置において、等強度の線の位置を決定する装置は、第１セルの第１アンテナと第２セルの第２アンテナが共通位置に配置されている時、第１セルの第１方位角と第２セルの第２方位角により形成される角度の２等分線として等強度の線を決定する装置を含む、装置。
【請求項５５】
請求項５３記載の装置において、等強度の線の位置を決定する装置は、第１セルの第１アンテナと第２セルの第２アンテナを接続する線に垂直な中心線を形成する装置を含む、装置。
【請求項５６】
請求項５３記載の装置において、矩形ストリップは等強度の線の周りに非対称幅である、装置。
【請求項５７】
請求項５６記載の装置において、等強度の線とセルラ装置が入っていこうとしているセルに近接する第１ストリップ限界との間の第１矩形ストリップの幅Ｗ１は、等強度の線とセルラ装置が出て行こうとしているセルに近接する第２ストリップ限界との間の第２矩形ストリップの幅Ｗ２より長い、装置。
【請求項５８】
請求項３４記載の装置において、
車両交通情報システムのサンプラ・モジュールと、
をさらに含む、装置。
【請求項５９】
請求項５８記載の装置において、サンプラ・モジュールは、複数個の異なる移動センサ源からの車両位置データをサンプリングする複数個のサンプラ・サブモジュールを含む、装置。
【請求項６０】
請求項５８記載の装置において、
ハンドオーバー区域を記憶するデータベースであって、セルラ網からのストリーミング・データを基にデータベースに問い合わせ可能となるように、ハンドオーバー区域が予め決定されている、前記データベースと、
をさらに含む装置。
【請求項６１】
複数台の車両に配置された複数個のセルラ装置の連続位置を決定することにより交通流れを監視する方法において、
複数個のセルラ装置の少なくともいくつかの位置を繰返し決定する段階と、
セルラ装置の少なくともいくつかの位置をサンプリングして交通流れの図を決定する段階と、を含み、
複数のセルラ装置の位置を決定する段階はハンドオーバーが発生する区域を決定する段階を含み、ハンドオーバー決定は、
第１セルまたはセルの群と別のセルのセル受信区域の少なくとも一部をモデル化する段階と、
前記第１セル区域またはセルの群区域及び別のセル区域の重なり合う部分を含むようハンドオーバー区域を定義する段階と、
を含む、交通流れを監視する方法。
【請求項６２】
請求項６１記載の方法において、交通流れの図を基に将来の交通状態を予測する段階をさらに含む、方法。
【請求項６３】
請求項６１記載の方法において、セルラ網からのハンドオーバー・データを使用して、セル対及びセル組の所定のハンドオーバー区域のデータベースに問い合わせることによりハンドオーバー決定が行われる、方法。
【請求項６４】
請求項６１記載の方法において、ハンドオーバー決定はセルラ網からのストリーミング・ハンドオーバー・データを使用して行われる、方法。
【請求項６５】
請求項６３または６４記載の方法において、前記ハンドオーバー・データはセル識別子データを含む、方法。
【請求項６６】
請求項６３または６４記載の方法において、前記ハンドオーバー・データは時間進行データを含む、方法。
【請求項６７】
複数台の車両に配置された複数個のセルラ装置の連続位置を決定することにより交通流れを監視する装置において、
セルラ網の第１セルまたはセルの群と別のセルの各々の少なくとも一部のモデル化セル受信区域の重なり合う部分を含むハンドオーバー区域を定義するハンドオーバー区域モジュールと、
複数個のセルラ装置の少なくともいくつかの繰返し位置決定の組をサンプリングして、交通流れの現在の図を決定するサンプラ・モジュールであって、前記位置決定の各々は、セルラ網の特定の第１セルまたはセルの群と別のセルとの間を移動している特定のセルラ装置のハンドオーバー区域モジュールにより定義されたハンドオーバー区域を少なくとも部分的に基にしている、前記サンプラ・モジュールと、
を含む、交通流れを監視する装置。
【請求項６８】
請求項６７記載の装置において、
交通流れの現在の図を基に将来の交通状態を予測する予測モジュールと、
をさらに含む、装置。
【請求項６９】
請求項６７記載の装置において、
セル対またはセル組の所定のハンドオーバー区域を含むハンドオーバー区域データベースと、
をさらに含む、装置。
【請求項７０】
請求項６９記載の装置において、ハンドオーバー区域モジュールは、セルラ網からのストリーミング・ハンドオーバー・データを使用してハンドオーバー区域データベースに問い合わせ可能である、装置。
【請求項７１】
請求項６７記載の装置において、ハンドオーバー区域モジュールは、セルラ網からのストリーミング・ハンドオーバー・データを基にオンラインでハンドオーバー区域を決定可能である、装置。
【請求項７２】
請求項７０または７１記載の装置において、ハンドオーバー・データはセル識別子データを含む、装置。
【請求項７３】
請求項７０または７１記載の装置において、ハンドオーバー・データは時間進行データを含む、装置。